【手続補正書】
【提出日】平成17年6月8日(2005.6.8)
【手続補正１】
【補正対象書類名】特許請求の範囲
【補正対象項目名】全文
【補正方法】変更
【補正の内容】
【特許請求の範囲】
【請求項１】
網目スクリーンと、
画像光発生器と、
を有する光学パネルであって、
前記網目スクリーンは網目材料を有し、該網目材料は、該網目材料の屈折率よりも高い屈折率を有するセルコア群を形成する光学的に透明な材料で満たされた開口部群のアレイを有し、前記網目材料及びセルコア群は光導波路群のアレイを形成して各導波路内で光の全反射をもたらし、各セルコアの一端部は前記導波路のための入口を形成し、各セルコアの反対側端部は前記導波路のための出口を形成し、前記複数の入口は前記網目スクリーンのための入口面を形成し、前記複数の出口は前記網目スクリーンのための出口面を形成し、前記画像光発生器は前記入口面上に入射する画像光を発生して前記出口面にて画像を形成することを特徴とする光学パネル。
【請求項２】
前記光学パネルの直前に位置する観察者が前記出口面において前記画像を見ることができるように、前記光導波路群の前記セルコア群は、前記出口面に対し垂直であるように整列されることを特徴とする請求項１の光学パネル。
【請求項３】
前記光学パネルより高い若しくは低い高さ、又は前記光学パネルの左若しくは右の、両方又は何れかに位置する観察者が前記出口面において前記画像を見ることができるように、前記光導波路群の前記セルコア群は、垂直方向又は水平方向の両方若しくは何れかにおいて、前記出口面に対し非垂直であるように整列されることを特徴とする請求項１の光学パネル。
【請求項４】
前記網目材料は光学的に黒色であることを特徴とする請求項１の光学パネル。
【請求項５】
前記網目材料は、光学的に黒色の材料でコーティングされるか又はクラッディングされることを特徴とする請求項１の光学パネル。
【請求項６】
前記網目材料は、金属、ガラス、プラスチック、ポリウレタン、ポリマー、及びエポキシから成る群から選択される材料で形成されることを特徴とする請求項１の光学パネル。
【請求項７】
前記コア群のために使用される前記材料は、光学的にクリアなプラスチック、光学的にクリアなガラス、光学的にクリアな接着剤、及び前記網目材料よりも屈折率が高い液体の組み合わせから成る群から選択されることを特徴とする請求項１の光学パネル。
【請求項８】
更に、前記網目スクリーン及び前記光発生器を機械的に支持するハウジンを有し、該ハウジングは、そこに前記出口面が取り付けられる開放した前部を有し、又前記開放した前部に対向する前記ハウジングの側部における閉じた背部を有し、前記光発生器及び前記入口面は、前記開放した前部と前記閉じた背部との間に配置されることを特徴とする請求項１の光学パネル。
【請求項９】
前記ハウジングの内部は、色が黒色であることを特徴とする請求項８の光学パネル。
【請求項１０】
前記出口面上の前記画像光は、ビデオ画像として表示されることを特徴とする請求項１の光学パネル。
【請求項１１】
前記画像光発生器は、白色光プロジェクターを有することを特徴とする請求項１の光学パネル。
【請求項１２】
前記画像光発生器は、光源、少なくとも１つの光変調器、及び少なくとも１つの結像光学素子を有することを特徴とする請求項１の光学パネル。
【請求項１３】
前記少なくとも１つの結像光学素子は、前記光を反射及び集束させ、前記入口面に適合させるように、光学的に整列されることを特徴とする請求項１２の光学パネル。
【請求項１４】
前記光源は、白熱電球、アーク灯、ＲＦ励起ガス放電灯、及び固体発光素子から成る群から選択されることを特徴とする請求項１２の光が宇パネル。
【請求項１５】
前記光源はコヒーレントであることを特徴とする請求項１２の光学パネル。
【請求項１６】
前記光源はレーザであることを特徴とする請求項１５の光学パネル。
【請求項１７】
前記光源は、燐光性、蛍光性、及び白熱性の光源から成る群から選択されることを特徴とする請求項１２の光学パネル。
【請求項１８】
更に、前記網目スクリーンに近接配置された少なくとも１つの光再指向器を有し、前記光は前記少なくとも１つの光再指向器に対し非垂直の角度にて入射し、前記少なくとも１つの光再指向器は、前記入口面に略垂直になるように前記光を再指向させ、光を前記入口面に入れて、前記光導波路群内で全反射させることを特徴とする請求項１の光学パネル。
【請求項１９】
前記画像光発生器は、前記光を前記少なくとも１つの光再指向器内へと指向させ、ここで、前記光は、前記少なくとも１つの光再指向器に対する垂直軸から、約４５°から約９０°までの範囲内の角度にて指向されることを特徴とする請求項１８の光学パネル。
【請求項２０】
前記少なくとも１つの光再指向器は、光再指向フィルム、回折素子、及びホログラフィックディフューザーから成る群から選択されることを特徴とする請求項１８の光学パネル。
【請求項２１】
前記少なくとも１つの光再指向器は、前記入口面に接続されることを特徴とする請求項１８の光学パネル。
【請求項２２】
前記少なくとも１つの光再指向器は、光学的にクリアな接着剤、液体、ゲル、エポキシ、又は熱接着によって、前記入口面に接着されることを特徴とする請求項２１の光学パネル。
【請求項２３】
前記少なくとも１つの光再指向器は、前記網目スクリーンの前記入口面内に成形、スタンプ、又はエンボス加工されることを特徴とする請求項１８の光学パネル。
【請求項２４】
前記コア群は、プラスチック、ガラス、液体、ゲル、透明エポキシ、及び透明接着剤から成る群から選択される材料で作製されることを特徴とする請求項１の光学パネル。
【請求項２５】
更に、前記出口面を出る光を所望の視角へと広げる少なくとも１つの光拡散器を有し、該少なくとも１つの光拡散器は、前記出口面に近接配置されることを特徴とする請求項１の光学パネル。
【請求項２６】
更に、前記入口面に近接配置された少なくとも１つの光再指向器を有することを特徴とする請求項２５の光学パネル。
【請求項２７】
前記少なくとも１つの光再指向器は前記入口面に接続され、前記少なくとも１つの光拡散器は前記出口面に接続されることを特徴とする請求項２６の光学パネル。
【請求項２８】
更に、前記光発生器、前記網目スクリーン、前記少なくとも１つの光再指向器、及び前記少なくとも１つの光拡散器を機械的に支持するハウジングを有することを特徴とする請求項２７の光学パネル。
【請求項２９】
前記少なくとも１つの光拡散器は、前記出口面に接続されることを特徴とする請求項２５の光学パネル。
【請求項３０】
前記少なくとも１つの光拡散器は、光学的にクリアな接着剤又は熱接着によって、前記網目スクリーン出口面に接着されることを特徴とする請求項２９の光学パネル。
【請求項３１】
更に、前記出口面における光拡散特性を与えるように、前記出口面をエッチング又はサンドブラスティングする処理によって作製された、前記出口面における光拡散機能を有することを特徴とする請求項１の光学パネル。
【請求項３２】
前記網目材料は、ハニカムシート、バグスクリーン、ウィンドウスクリーン、ドアスクリーン、及び織成網目から成る群から選択されることを特徴とする請求項１の光学パネル。
【請求項３３】
前記網目材料内の各開口部は、円、楕円、三角形、四辺形、五角形、六角形、七角形、八角形、及びこれらの組み合わせから成る群から選択される、対応するセルコア形状を形成することを特徴とする請求項１の光学パネル。
【請求項３４】
網目スクリーンと、
画像光発生器と、
を有する光学パネルであって、
前記網目スクリーンは網目材料を有し、該網目材料は、該網目材料の屈折率よりも低い屈折率を有するセルコア群を形成する材料で満たされた開口部群のアレイを有し、前記網目材料は前記セルコア群よりも光透過性であり、前記網目材料及びセルコア群は、光導波路群のアレイを形成して各導波路内で光の全反射をもたらし、前記網目材料の一端部は前記導波路のための入口を形成し、前記網目材料の反対側端部は前記導波路のための出口を形成し、前記複数の入口は前記網目スクリーンのための入口面を形成し、前記複数の出口は前記網目スクリーンのための出口面を形成し、前記画像光発生器は前記入口面上に入射する画像光を発生して前記出口面にて画像を形成することを特徴とする光学パネル。
【請求項３５】
前記網目材料は、光学的にクリアであることを特徴とする請求項３４の光学パネル。
【請求項３６】
前記網目材料は、ガラス、プラスチック、ポリウレタン、ポリマー、及びエポキシから成る群から選択される材料で形成されることを特徴とする請求項３４の光学パネル。
【請求項３７】
前記コアは、光学的に黒色なプラスチック、光学的に黒色なガラス、及び光学的に黒色な接着剤から成る群から選択されることを特徴とする請求項３４の光学パネル。
【請求項３８】
更に、前記網目スクリーン及び前記光発生器を機械的に支持するハウジングを有し、該ハウジングは、そこに前記出口面が取り付けられる開放した前部を有し、又前記開放した前部に対向する前記ハウジングの側部における閉じた背部を有し、前記光発生器及び前記入口面は、前記開放した前部と前記閉じた背部との間に配置されることを特徴とする請求項３４の光学パネル。
【請求項３９】
前記ハウジングの内部は、色が黒色であることを特徴とする請求項３８の光学パネル。
【請求項４０】
前記出口面上の前記画像光は、ビデオ画像として表示されることを特徴とする請求項３４の光学パネル。
【請求項４１】
前記画像光発生器は、白色光プロジェクターを有することを特徴とする請求項３４の光学パネル。
【請求項４２】
前記画像光発生器は、光源、少なくとも１つの光変調器、及び少なくとも１つの結像光学素子を有することを特徴とする請求項３４の光学パネル。
【請求項４３】
前記少なくとも１つの結像光学素子は、前記光を反射及び集束させ、前記入口面に適合させるように、光学的に整列されることを特徴とする請求項４２の光学パネル。
【請求項４４】
前記光源は、白熱電球、アーク灯、ＲＦ励起ガス放電灯、及び固体発光素子から成る群から選択されることを特徴とする請求項４２の光学パネル。
【請求項４５】
前記光源はコヒーレントであることを特徴とする請求項４２の光学パネル。
【請求項４６】
前記光源は、燐光性、蛍光性、及び白熱性の光源から成る群から選択されることを特徴とする請求項４２の光学パネル。
【請求項４７】
更に、前記網目スクリーンに近接配置された少なくとも１つの光再指向器を有し、前記画像光は前記少なくとも１つの光再指向器に対し非垂直の角度にて入射し、前記少なくとも１つの光再指向器は、前記入口面に略垂直になるように前記光を再指向させ、光を前記入口面に入れて、前記光導波路群内で全反射させることを特徴とする請求項３４の光学パネル。
【請求項４８】
前記画像光発生器は、前記光を前記少なくとも１つの光再指向器内へと指向させ、ここで、前記画像光は、前記少なくとも１つの光再指向器に対する垂直軸から、約４５°から約９０°までの範囲内の角度にて指向されることを特徴とする請求項４７の光学パネル。
【請求項４９】
前記少なくとも１つの光再指向器は、光再指向フィルム、回折素子、及びホログラフィックディフューザーから成る群から選択されることを特徴とする請求項４７の光学パネル。
【請求項５０】
前記少なくとも１つの光再指向器は、前記入口面に接続されることを特徴とする請求項４７の光学パネル。
【請求項５１】
前記少なくとも１つの光再指向器は、光学的に黒色の接着剤又は熱接着の何れかによって、前記入口面に接着されることを特徴とする請求項５０の光学パネル。
【請求項５２】
前記少なくとも１つの光再指向器は、前記入口面内に成形、スタンプ、又はエンボス加工されることを特徴とする請求項４７の光学パネル。
【請求項５３】
更に、前記出口面に近接配置された少なくとも１つの光拡散器を有し、該少なくとも１つの光拡散器は前記出口面を出る光を所望の視角へと広げることを特徴とする請求項３４の光学パネル。
【請求項５４】
更に、前記入口面に近接配置された少なくとも１つの光再指向器を有することを特徴とする請求項５３の光学パネル。
【請求項５５】
前記少なくとも１つの光再指向器は前記入口面に接続され、前記少なくとも１つの光拡散器は前記出口面に接続されることを特徴とする請求項５４の光学パネル。
【請求項５６】
更に、前記光発生器、前記網目スクリーン、前記少なくとも１つの光再指向器、及び前記少なくとも１つの光拡散器を機械的に支持するハウジングを有することを特徴とする請求項５５の光学パネル。
【請求項５７】
前記少なくとも１つの光拡散器は、前記出口面に接続されることを特徴とする請求項５３の光学パネル。
【請求項５８】
前記少なくとも１つの光拡散器は、光学的に黒色の接着剤又は熱接着によって前記出口面に接着されることを特徴とする請求項５７の光学パネル。
【請求項５９】
更に、前記出口面における光拡散特性を与えるように、前記出口面をエッチング又はサンドブラスティングする処理によって作製された、前記出口面における光拡散機能を有することを特徴とする請求項３４の光学パネル。
【請求項６０】
前記網目材料は、ハニカムシート、バグスクリーン、ウィンドウスクリーン、ドアスクリーン、及び織成網目から成る群から選択されることを特徴とする請求項３４の光学パネル。
【請求項６１】
前記網目材料内の各開口部は、円、楕円、三角形、四辺形、五角形、六角形、七角形、八角形、及びこれらの組み合わせから成る群から選択される、対応するセルコア形状を形成することを特徴とする請求項３４の光学パネル。
【請求項６２】
光学ディスプレイパネルを用いて画像光を表示する方法において、
光導波路群のアレイを提供する段階であって、前記光導波路群は網目材料を使用して形成される段階、
前記光導波路群の入口群に対し実質的に垂直に前記画像光を通過させる段階であって、前記画像光は前記光導波路群内で全反射を示す段階、及び
前記光導波路群の前記入口群の反対側の前記光導波路群の出口群にて、前記画像光を表示する段階であって、前記出口群において表示される前記画像光が画像を形成する段階、
を含むことを特徴とする前記方法。
【請求項６３】
前記画像光は、先ず前記光導波路群の前記入口群に配置された光再指向器上に投影され、前記光再指向器は、前記入口群に対し実質的に垂直ではない画像光を、これが前記入口群に対し実質的に垂直となるように再指向させることを特徴とする請求項６２の方法。
【請求項６４】
前記光導波路群の前記出口群における前記画像は更に、前記出口群を出る光を所望の視角へと広げる拡散器を通して透過されることを特徴とする請求項６３の方法。
【請求項６５】
前記画像光は、前記光導波路群のセルコア群の配列に対して、４５°から９０°の角度にて前記光学パネル上に入射することを特徴とする請求項６２の方法。
【請求項６６】
前記光導波路群の前記出口群における前記画像は更に、前記出口群を出る光を所望の視角へと広げる拡散器を通して透過されることを特徴とする請求項６２の方法。
【請求項６７】
前記網目材料は、ハニカムシート、バグスクリーン、ウィンドウスクリーン、ドアスクリーン、及び織成網目から成る群から選択されることを特徴とする請求項６２の方法。
【請求項６８】
前記網目材料内の開口部群は、円、楕円、三角形、四辺形、五角形、六角形、七角形、八角形、及びこれらの組み合わせから成る群から選択される、対応する光導波路形状を形成することを特徴とする請求項６２の方法。
【請求項６９】
網目スクリーン内にコア群を形成するように、網目材料内の開口部群をセル充填材料で満たす工程を含み、前記セル充填材料は、前記網目材料よりも低い屈折率又は高い屈折率の何れかを有し、前記より高い屈折率を有する前記セル充填材料又は前記より高い屈折率を有する前記網目材料は、光学的に透過性であり前記網目スクリーン内で光導波路の光学的に透過性の部分となり、前記光導波路を通して透過される光は全反射を示し、複数の光導波路入口は入口面を形成し、複数の光導波路出口は出口面を形成することを特徴とする光学パネルの製造方法。
【請求項７０】
前記セル充填材料は、前記網目材料よりも高い屈折率を有し、それにより前記コア群は前記光導波路の前記光学的に透過性の部分として機能することを特徴とする請求項６９の方法。
【請求項７１】
前記網目材料は、前記セル充填材料よりも低い屈折率を有する材料で着色、コーティング、又はクラッディングされていることを特徴とする請求項７０の方法。
【請求項７２】
前記セル充填材料は、プラスチック、ガラス、液体、ゲル、透明エポキシ、及び透明接着剤から成る群から選択される材料であることを特徴とする請求項７０の方法。
【請求項７３】
前記セル充填材料は、前記網目材料よりも低い屈折率を有し、それにより前記網目材料は前記光導波路の前記光学的に透過性の部分として機能することを特徴とする請求項６９の方法。
【請求項７４】
開始材料は、前記網目材料内に前記開口部群を形成するように、パーフォレート又はスタンプ加工されることを特徴とする請求項６９の方法。
【請求項７５】
前記網目材料は、金属、ガラス、プラスチック、ポリウレタン、ポリマー、及びエポキシから成る群から選択されることを特徴とする請求項６９の方法。
【請求項７６】
前記網目材料は、ハニカムシート、バグスクリーン、ウィンドウスクリーン、ドアスクリーン、及び織成網目から成る群から選択されることを特徴とする請求項６９の方法。
【請求項７７】
更に、前記複数の光導波路入口上に、光再指向カップリング層の機能をエンボス加工又はスタンプ加工する工程を含むことを特徴とする請求項６９の方法。
【請求項７８】
更に、前記複数の光導波路入口上に光再指向カップリング層の機能を、硬化可能な接着剤、プラスチック、又はエポキシを用いて成形する工程を含むことを特徴とする請求項６９の方法。
【請求項７９】
更に、前記出口面に近接して拡散器を配置する工程を含み、前記拡散器は、前記光導波路出口群を出る光を広げて、前記拡散器層上に、所望の視角にて画像を形成することを特徴とする請求項６９の方法。
【請求項８０】
更に、前記出口面に前記拡散器を取り付ける工程を含むことを特徴とする請求項７９の方法。
【請求項８１】
前記取り付け工程は、前記出口面と前記拡散器との間に接着剤を挿入する工程を含み、前記接着剤は、前記出口面を前記拡散器に接着させ、又前記接着剤は、前記各光導波路の光透過経路を全く形成しないか、少なくとも一部を形成するか、又は全てを形成することを特徴とする請求項８０の方法。
【請求項８２】
更に、前記接着剤を硬化させる工程を含むことを特徴とする請求項８１の方法。
【請求項８３】
前記硬化工程は、ベーキング又は紫外線光への露出工程の何れかを含むことを特徴とする請求項８２の方法。
【請求項８４】
前記挿入工程は、前記網目材料及び前記拡散器を前記接着剤中に浸漬する工程を含むことを特徴とする請求項８１の方法。
【請求項８５】
前記挿入工程は、前記配置工程に先立って前記接着剤を前記出口面と前記拡散器との間に挿入する工程を含むことを特徴とする請求項８１の方法。
【請求項８６】
前記取り付け工程は、前記パネルに、前記出口面を前記拡散器へ接着させるのに十分の圧力を適用する工程を含むことを特徴とする請求項８０の方法。
【請求項８７】
前記取り付け工程は、前記拡散器を前記出口面に熱接着する工程を含むことを特徴とする請求項８０の方法。
【請求項８８】
更に、前記光導波路出口群における光拡散特性を与えるように、前記光導波路出口群をエッチング又はサンドブラスティングすることにより、前記光導波路出口群における拡散機能を形成する工程を含むことを特徴とする請求項６９の方法。
【請求項８９】
更に、
前記入口面に対し非垂直な光を該光が前記入口面に対し実質的に垂直となるように再指向させる光再指向カップリング層に近接して、前記入口面を配置する工程、及び
前記光再指向カップリング層を前記入口面に取り付ける工程、
を含むことを特徴とする請求項６９の方法。
【請求項９０】
前記光再指向カップリング層は、プラスチック、ガラス、エポキシ、ポリウレタン、及びポリマーから成る群から選択される材料から作製されることを特徴とする請求項８９の方法。
【請求項９１】
前記光再指向カップリング層は、光再指向素子、光再指向フィルム、回折素子、及びホログラフィックディフューザーから成る群から選択されることを特徴とする請求項８９の方法。
【請求項９２】
前記入口面に前記光再指向層を取り付ける工程は、前記入口面と前記光再指向カップリング層との間に接着剤を挿入する工程を含み、前記接着剤は、前記光導波路の光透過性部分を全く形成しないか、少なくとも一部を形成するか、又は全てを形成することを特徴とする請求項８９の方法。
【請求項９３】
更に、前記接着剤を硬化させる工程を含むことを特徴とする請求項９２の方法。
【請求項９４】
前記硬化工程は、ベーキング又は紫外線光への露出工程の何れかを含むことを特徴とする請求項９３の方法。
【請求項９５】
前記挿入工程は、前記網目材料及び前記光再指向器を前記接着剤中に浸漬する工程を含むことを特徴とする請求項９２の方法。
【請求項９６】
前記挿入工程は、前記配置工程に先立って前記接着剤を前記入口面と前記光再指向器との間に挿入する工程を含むことを特徴とする請求項９２の方法。
【請求項９７】
前記取り付け工程は、前記パネルに、前記入口面と前記光再指向カップリング層とを接着させるのに十分な圧力を適用する工程を含むことを特徴とする請求項８９の方法。
【請求項９８】
前記取り付け工程は、前記光再指向カップリング層を前記入口面に熱接着する工程を含むことを特徴とする請求項８９の方法。
【請求項９９】
前記網目材料内の各開口部は、円、楕円、三角形、四辺形、五角形、六角形、七角形、八角形、及びこれらの組み合わせから成る群から選択される、対応するコア形状を形成することを特徴とする請求項６９の光学パネル。
【手続補正２】
【補正対象書類名】明細書
【補正対象項目名】００１５
【補正方法】変更
【補正の内容】
【００１５】
光発生系１１０は光１１６を発生し、この光を出口面１１８へと通過させる。光発生系１１０は、白色光プロジェクター（投影機）であってよく、又は光源、例えば、ＬＥＤ、及び／又は光変調器（モジュレータ）、及び／又は結像光学素子（系）、例えばビデオ若しくはムービープロジェクターを有していてよい。光１１６は、最初に、例えば、光源によって発生することができる。光源は、例えば、明るい白熱電球、アーク灯、ＲＦ励起ガス放電灯、任意の固体（半導体）光源、又は任意の燐光性（ホスホレセント）、蛍光性（ルミネセント）若しくは白熱性（インカンデセント）の光源であってよい。光源はまた、コヒーレント光源、例えば、レーザであってもよい。光源はまた、偏光されていてもよい。次いで、光源からの光１１６は、斯界にてピクセル（画素）として知られている個々の像要素を規定するために変調器によって変調することができる。或いは、光１１６は、例えばＯＮ／ＯＦＦスイッチのような、単純な照明されたアイテムを規定することができる。結像光学系は、光折り返しミラー類及び／又はレンズ類を有していてよい。結像光学系は、入口面１１４に適合させるように、所望に応じて光１１６を圧縮若しくは拡大及び集束（フォーカシング）するために光学的に整列させることができる。光１１６は、入口面１１４内に入った後、出口面１１８へと進む。光１１６は、全反射のための臨界角又はより小さい角度にて、網目スクリーン１０４内の各セル内へと通過させられ、次いで、各セルの入口１０６内へと略水平に指向させられる。
【手続補正３】
【補正対象書類名】明細書
【補正対象項目名】００１９
【補正方法】変更
【補正の内容】
【００１９】
網目スクリーン層１０４は、網目構造材料のシートを使用して、例えば、黒色網目シート材料２１６によって形成することができる。ここで、網目スクリーン層１０４内の各セルは、網目シート材料２１６によって取り囲まれたコア２１８で形成される。ここで用いられる黒色とは、限定されるものではないが、黒、青、紫、緑などのような、全くの暗色（all dark）、光学的に黒色であること、又は光を吸収する不透明色を含む。「光学的に黒色である」という用語は、目視観察において黒色及び不透明に見える材料を指すが、これは少なくとも一部は光透過性材料で構成され、又適当な屈折率を有する光透過性材料と共に用いられるときに導波路構成要素として機能する能力がある。例えば、光学的に黒色な材料は、カーボンブラックのような不透明な粒子がその中に分散されたガラス又はプラスチックで形成することができる。このような物品は、目視観察において黒色に見えるだろう。しかし、ガラス若しくはプラスチックマトリックスは透過性のままであり、又この材料が導波路の外側構成要素として使用されるとき、クリア（透明）なガラスは、導波路を通して送られる光の全反射を引き起こすことができる。これは、この機能を与えるために、クリアな材料が、厚さ数ナノメートルだけ必要であるので可能である。再び図２を参照して、網目シート材料２１６は、構造的に、開口部群のアレイによって特徴付けられる材料の配列であり、この開口部群のフレーム（枠）群は個々のセルのための構造（骨組み）としての役割を果たす。網目シート材料２１６は、セル開口部群を形成するためにパーフォレート（穴開け）又はスタンプ（型打ち）された材料の単一部品であってよい。或いは、網目シート材料２１６は、標準的なハニカム、バグスクリーン（bugscreen）、ウィ
ンドウ若しくはドアスクリーン、又は織成網目（woven mesh）であってよい。網目シート材料２１６は、例えば、コア２１８よりも低い屈折率を有する如何なる材料でも形成することができる。例えば、網目シート材料２１６は、適当な金属、ガラス、プラスチック、ポリウレタン、ポリマー、又はエポキシであってよい。網目シート材料は、例えば、光学的に黒色であるか、不透明であるか、又は着色されたプラスチックのドア若しくはウィンドウスクリーンであってよい。使用される材料に拘わらず、網目シート材料２１６は、網目シートセルコア群内での全反射という目標に達するために、低屈折率の材料でコーティング又はクラッディングすることができる。各セルコア２１８内での光吸収は、垂直及び水平方向の両方において起こる。セルコア２１８は、好ましくは、網目シート材料２１６よりも高い屈折率を有する、例えば、プラスチック、ガラス、液体、ゲル、透明エポキシ、又は液体類の組み合わせなどの光学的にクリア（透明）な材料であるセル充填（cell-fill）材料で満たされる。ここで、この光学的にクリアな材料は、少なくとも網目シート材料２１６によって実質的に取り囲まれる。「光学的にクリア」という用語は、透明に（透き通って：transparent）見える材料を表し、半透明（translucent）ではない。網目シート材料２１６のジオメトリー（外形）は、光のための導波路を提供する如何なる適当な形状であってもよい。例えば、網目シート材料２１６は、任意の与えられたセルが、曲線的又は複数側面的な幾何学的形状のいずれか又は組み合わせ、例えば、円類、楕円（長円）類、三角形類、四辺形類、五角形類、六角形類、七角形類、八角形類、又はその種の他のものであるように、成形することができる。図２は、六角形のセルジオメトリーを使用する具体例である。
【手続補正４】
【補正対象書類名】明細書
【補正対象項目名】００２２
【補正方法】変更
【補正の内容】
【００２２】
光発生器１１０は、本発明の一実施態様では、光再指向カップリング層１２２と光学的に整列されている。画像は、光再指向カップリング層１２２上に投影され、次いで、拡散器層１２４の出口面上で表示するために、網目スクリーン層１０４を通して透過させるべく再指向される。好ましい実施態様では、光発生器１１０は、画像光１１６を光再指向カップリング層１２２に対して略平行に投影するために、光再指向カップリング層１２２の入口面の頂部又は底部に近接して配置され、又網目スクリーン層１０４のセル群を通して透過させるために光再指向カップリング層１２２によって画像光１１６を曲げるのを許すのに十分な距離だけ、光再指向カップリング層１２２から離隔される。
【手続補正５】
【補正対象書類名】明細書
【補正対象項目名】００２５
【補正方法】変更
【補正の内容】
【００２５】
網目スクリーン層１０４を設ける。光は、各セルのコアの入口面に対し実質的に垂直に通過させられ（即ち、各光導波路のボアサイト（口径照準：boresight）を通して）、そして、光は各セルの入口端部１０６の反対側の各セルの出口端部１０８にて表示される。ここで、複数のセル出口における光は画像１２０を形成する。